【手続補正書】
【提出日】平成17年6月28日(2005.6.28)
【手続補正１】
【補正対象書類名】明細書
【補正対象項目名】特許請求の範囲
【補正方法】変更
【補正の内容】
【特許請求の範囲】
【請求項１】  開ループ制御を使用して患者に所望の湿度レベルまたは所望の温度の気体を供給するように構成された呼吸補助機器であって、
電力が入力され、前記気体を、前記患者への供給に先立って、入力された電力に応じた湿度レベルまで加湿することができる加湿器と、
制御装置すなわち処理装置であって、
（ａ）前記呼吸補助機器を通過する気体の流量に関するパラメータを決定し、
（ｂ）少なくとも前記パラメータに基づいて、前記所望の湿度レベルまたは所望の温度とほぼ同じ湿度レベルまたは温度で、前記気体を患者に供給するために必要な加湿器への入力電力を決定し、
（ｃ）前記決定された入力電力と略等しいレベルの電力を、前記加湿器への入力電力として供給するように構成またはプログラムされた制御装置と、を備えている、
ことを特徴とする呼吸補助機器。
【請求項２】  前記加湿気体を前記加湿器から患者に供給する導管と、
電力が入力され前記導管と関連した導管ヒータであって、前記導管の中を流れる気体が該導管ヒータによって直接的または間接的に加熱され、加熱レベルが前記導管ヒータへの入力電力に依存する導管ヒータと、
外部温度を提供する外部温度センサとを、備え、または、前記制御装置すなわち処理装置が外部温度を表すものとして用いられる記録された仮定を含み、
前記処理（ｂ）が、少なくとも提供された外部温度に基づいて、前記所望の湿度レベルまたは所望の温度とほぼ同じな湿度レベルまたは温度で気体を患者に供給するために必要な前記導管ヒータへの入力電力を決定するステップ、をさらに備え、
前記処理（ｃ）が、決定された前記導管ヒータへの入力電力とほぼ同じ電力レベルの電力を、前記導管ヒータへの入力電力として供給するステップ、をさらに備えている、  請求項１に記載の呼吸補助機器。
【請求項３】  前記加湿器は一定量の水を収容する加湿チャンバと、使用時に前記水を加熱し前記加湿チャンバ内で水蒸気を生成させる水ヒータとを備え、前記気体が前記チャンバ内で前記水蒸気の中を通過して加湿され、前記処理（ａ）は、さらに、
ｉ）第１の状態に向けて前記水を加熱するように水ヒータを作動させるステップと、
ii）前記水ヒータの特性を示す変数を決定し、該変数または前記パラメータが、前記水が前記第１の状態にほぼ到達したことを示すまで、前記変数を連続的にモニタするステップと
iii）少なくとも前記変数および前記表示された外部温度に基づいて前記パラメータを決定するステップとを、備えている、
請求項２に記載の呼吸補助機器。
【請求項４】  前記処理（ｂ）における加湿器への入力電力の決定は、提供された外部温度にも基づいている、
請求項３に記載の呼吸補助装置。
【請求項５】  前記制御装置すなわち処理装置は、
（ｄ）前記パラメータまたは前記変数を連続的にモニタし、該パラメータまたは該変数の変化が第１の閾値より大きい場合には前記制御装置すなわち処理装置を前記処理（ｂ）に戻し、前記パラメータまたは前記変数の変化が第２の閾値より大きい場合には前記制御装置すなわち処理装置を前記処理（ａ）に戻す指示を保存している、
請求項３に記載の呼吸補助装置。
【請求項６】  前記パラメータまたは前記変数の変化が流量の減少を示した場合には、前記制御装置すなわち処理装置が前記処理（ｂ）に戻ることが比較的短く遅延され、前記変化が流量の増加を示した場合には前記制御装置すなわち処理装置が前記処理（ｂ）に戻ることが比較的長く遅延される、
請求項５に記載の呼吸補助装置。
【請求項７】  前記第２の閾値は時間に対する前記パラメータまたは前記変数の変化の割合に基づいており、該変化の割合が第２の閾値を超えたときには前記制御装置すなわち処理装置が前記処理（ａ）に戻される、
請求項５に記載の呼吸補助装置。
【請求項８】  必要な圧力、およびその結果生じる流量で加湿器に気体を供給する気体供給装置をさらに備えている、
請求項１または２に記載の呼吸補助装置。
【請求項９】  前記気体供給装置は該気体供給装置への電気入力レベルを示す出力信号を出力し、該出力信号は前記制御装置すなわち処理装置に供給され、前記出力信号から加湿気体の流量が決定される、
請求項８に記載の呼吸補助装置。
【請求項１０】  前記気体供給装置は可変速度式電気モータによって駆動されるファンを備えている、
請求項８または９に記載の呼吸補助装置。
【請求項１１】  前記加湿気体の流量に関するパラメータは可変速度式モータに流れる電流に基づく、
請求項１０に記載の呼吸補助装置。
【請求項１２】  気体流量センサをさらに備え、該気体流量センサによって前記加湿気体の流量に関するパラメータが直接的に決定される、
請求項１または２に記載の呼吸補助装置。
【請求項１３】  前記水ヒータの温度を提供し且つ該水ヒータに流れる電力を提供するチャンバセンサをさらに備え、
前記変数は前記ヒータの温度または前記水ヒータに流れた電力を示す、
請求項３〜７のいずれか一つに記載の呼吸補助装置。
【請求項１４】  所望の湿度レベルまたは所望の温度の加湿気体を患者に供給する呼吸補助機器であって、
電力が入力され、前記患者への供給に先立って気体を入力された電力に応じた湿度レベルまで加湿することができる加湿器と、
前記加湿気体を加湿器から患者に供給する導管と、
電力が入力され前記導管と関連した導管ヒータであって、前記導管の中を流れる気体が該導管ヒータによって直接的または間接的に加熱され、加熱レベルが前記導管ヒータへの入力電力に依存する導管ヒータと、
前記入力電力を前記加湿器および導管ヒータに供給する制御装置すなわち処理装置であって、前記導管ヒータが前記制御装置すなわち処理装置に正しく接続されていることを表し、且つ、所定の制限に応じて前記インジケータを作動させる前記制御装置すなわち処理装置を操作する制御出力を提供する制御装置すなわち処理装置と、
前記制御装置すなわち処理装置および前記導管ヒータを電気的に接続し、使用時に前記制御出力に接続されるインジケータを含むコネクタと、を備え、
前記導管ヒータが前記制御装置すなわち処理装置に正しく接続され所定に制限に応じて作動できるときに、前記制御装置すなわち処理装置が前記インジケータを作動させる、
ことを特徴とする呼吸補助機器。
【手続補正２】
【補正対象書類名】明細書
【補正対象項目名】００１２
【補正方法】変更
【補正の内容】
【００１２】
第１の態様で本発明は、
開ループ制御を使用して患者に所望の湿度レベルまたは所望の温度の気体を供給するように構成された呼吸補助機器であって、
電力が入力され、前記気体を、前記患者への供給に先立って、入力された電力に応じた湿度レベルまで加湿することができる加湿器と、
制御装置すなわち処理装置であって、
（ａ）前記呼吸補助機器を通過する気体の流量に関するパラメータを決定し、
（ｂ）少なくとも前記パラメータに基づいて、前記所望の湿度レベルまたは所望の温度とほぼ同じ湿度レベルまたは温度で、前記気体を患者に供給するために必要な加湿器への入力電力を決定し、
（ｃ）前記決定された入力電力と略等しいレベルの電力を、前記加湿器への入力電力として供給するように構成またはプログラムされた制御装置と、を備えている、
ことを特徴とする呼吸補助機器である。
【手続補正３】
【補正対象書類名】明細書
【補正対象項目名】００１３
【補正方法】変更
【補正の内容】
【００１３】
他の態様で本発明は、
所望の湿度レベルまたは所望の温度の加湿気体を患者に供給する呼吸補助機器であって、
電力が入力され、前記患者への供給に先立って気体を入力された電力に応じた湿度レベルまで加湿することができる加湿器と、
前記加湿気体を加湿器から患者に供給する導管と、
電力が入力され前記導管と関連した導管ヒータであって、前記導管の中を流れる気体が該導管ヒータによって直接的または間接的に加熱され、加熱レベルが前記導管ヒータへの入力電力に依存する導管ヒータと、
前記入力電力を前記加湿器および導管ヒータに供給する制御装置すなわち処理装置であって、前記導管ヒータが前記制御装置すなわち処理装置に正しく接続されていることを表し、且つ、所定の制限に応じて前記インジケータを作動させる前記制御装置すなわち処理装置を操作する制御出力を提供する制御装置すなわち処理装置と、
前記制御装置すなわち処理装置および前記導管ヒータを電気的に接続し、使用時に前記制御出力に接続されるインジケータを含むコネクタと、を備え、
前記導管ヒータが前記制御装置すなわち処理装置に正しく接続され所定に制限に応じて作動できるときに、前記制御装置すなわち処理装置が前記インジケータを作動させる、
ことを特徴とする呼吸補助機器である。
【手続補正４】
【補正対象書類名】明細書
【補正対象項目名】００１４
【補正方法】削除
【補正の内容】